(57)【要約】【課題】商品陳列室内に上下方向に複数段の商品陳列棚が設けられている場合において、各商品陳列棚上に陳列された商品を落下する塵や埃から保護する。【解決手段】ショーケースの商品陳列棚上に載置され、この商品陳列棚の手前側と奥側との前後方向に延出する左右一対の脚部４と、下端側を脚部４に連結されて上向きに延出し、前後方向に回動可能な左右一対の腕部５と、腕部５の上端部に設けられ、商品陳列棚の手前側と奥側との両端が下向きとなる弧状に湾曲した案内溝１３ａ、１３ｂを有する左右一対の保持部１２と、左右両側に案内溝にスライド可能に嵌合する突部１４ａ、１４ｂを有し、商品陳列棚の手前側と奥側との両端が下向きとなる弧状に湾曲し、商品陳列棚上に陳列された商品の上方を閉止する閉止位置とその商品の上方を開放する開放位置との間で前後方向に回動可能なフードカバー６とを有する。【選択図】図１
2019213585.tif 000002
【特許請求の範囲】
【請求項１】
ショーケースの商品陳列棚上に載置され、この商品陳列棚の手前側と奥側との前後方向に延出する左右一対の脚部と、
下端側を前記脚部に連結されて上向きに延出し、前後方向に回動可能な左右一対の腕部と、
前記腕部の上端部に設けられ、前記商品陳列棚の手前側と奥側との両端が下向きとなる弧状に湾曲した案内溝を有する左右一対の保持部と、
左右両側に前記案内溝にスライド可能に嵌合する突部を有し、前記商品陳列棚の手前側と奥側との両端が下向きとなる弧状に湾曲し、前記商品陳列棚上に陳列された商品の上方を閉止する閉止位置と前記商品の上方を開放する開放位置との間で前後方向に回動可能なフードカバーとを有し、
前記閉止位置から前記開放位置への前記フードカバーの回動動作は、
閉止位置に位置する前記フードカバーの前記突部が前記案内溝内をスライドしてこの案内溝における前記商品陳列棚の奥側の端部に到達するまで前記フードカバーが単独で後方に回動し、
前記突部が前記案内溝の奥側の端部に到達した後は前記フードカバーが前記腕部と共に前記商品陳列棚の奥側に回動するように行われることを特徴とするショーケースのフードカバー装置。
【請求項２】
前記ショーケースが前記商品陳列棚の手前側上方に位置する冷気吹出口から吹出して前記商品陳列棚の手前側下方に位置する冷気吸込口に吸い込まれる冷気のエアカーテンを形成する場合、前記閉止位置に位置する前記フードカバーは、前記冷気吹出口から吹き出して前記冷気吸込口に向かう冷気のエアカーテンの流れる方向に沿って傾斜していることを特徴とする請求項１記載のショーケースのフードカバー装置。
【請求項３】
前記ショーケースが前記商品陳列棚の手前側上方に位置する冷気吹出口から吹出して前記商品陳列棚の手前側下方に位置する冷気吸込口に吸い込まれる冷気のエアカーテンを形成する場合、前記閉止位置に位置する前記フードカバーの前記商品陳列棚の手前側の下端部と前記商品陳列棚の上面との間には、前記商品陳列棚と前記フードカバーとの間に流入した冷気が前記冷気のエアカーテンの方向に流れる隙間が設けられていることを特徴とする請求項１記載のショーケースのフードカバー装置。
【発明の詳細な説明】
【技術分野】
【０００１】
本発明は、ショーケースの商品陳列棚上に陳列された商品を落下する塵や埃から保護できるようにしたショーケースのフードカバー装置に関する。
【背景技術】
【０００２】
従来、スーパーマーケットやコンビニエンスストア等の店舗では、様々な形態のショーケースが用いられており、これらのショーケースにおいては、商品陳列棚上に陳列された商品を落下する塵や埃から保護したいという要望があり、下記特許文献１に記載されたように、フードを備えたスニーズガードを設けたものが知られている。
【先行技術文献】
【特許文献】
【０００３】
【特許文献１】特開２００９−２２６０５８号公報
【発明の概要】
【発明が解決しようとする課題】
【０００４】
しかしながら、特許文献１に記載されているショーケースは、商品陳列室内の商品陳列棚は１段のみであり、フードはショーケースの上部に１つ設けられているだけである。このため、商品陳列室内に上下方向に複数段の商品陳列棚が設けられた場合には、最上段の商品陳列棚上に陳列されている商品についてはフードによって落下する塵や埃から保護することはできるが、二段目以下の商品陳列棚上に陳列されている商品については、その商品とフードとの距離が大きくなり、落下する塵や埃からその商品を保護することが難しくなっている。
【０００５】
本発明は、このような課題を解決するためになされたものであり、その目的は、商品陳列室内に上下方向に複数段の商品陳列棚が設けられている場合において、各商品陳列棚上に陳列された商品を落下する塵や埃から保護することができるショーケースのフードカバー装置を提供することである。
【課題を解決するための手段】
【０００６】
本発明に係るショーケースのフードカバー装置は、ショーケースの商品陳列棚上に載置され、この商品陳列棚の手前側と奥側との前後方向に延出する左右一対の脚部と、下端側を前記脚部に連結されて上向きに延出し、前後方向に回動可能な左右一対の腕部と、前記腕部の上端部に設けられ、前記商品陳列棚の手前側と奥側との両端が下向きとなる弧状に湾曲した案内溝を有する左右一対の保持部と、左右両側に前記案内溝にスライド可能に嵌合する突部を有し、前記商品陳列棚の手前側と奥側との両端が下向きとなる弧状に湾曲し、前記商品陳列棚上に陳列された商品の上方を閉止する閉止位置と前記商品の上方を開放する開放位置との間で前後方向に回動可能なフードカバーとを有し、前記閉止位置から前記開放位置への前記フードカバーの回動動作は、閉止位置に位置する前記フードカバーの前記突部が前記案内溝内をスライドしてこの案内溝における前記商品陳列棚の奥側の端部に到達するまで前記フードカバーが単独で後方に回動し、前記突部が前記案内溝の奥側の端部に到達した後は前記フードカバーが前記腕部と共に前記商品陳列棚の奥側に回動するように行われることを特徴とする。
【０００７】
また、前述のショーケースのフードカバー装置において、前記ショーケースが前記商品陳列棚の手前側上方に位置する冷気吹出口から吹出して前記商品陳列棚の手前側下方に位置する冷気吸込口に吸い込まれる冷気のエアカーテンを形成する場合、前記閉止位置に位置する前記フードカバーは、前記冷気吹出口から吹き出して前記冷気吸込口に向かう冷気のエアカーテンの流れる方向に沿って傾斜していることが望ましい。
【０００８】
また、前述のショーケースのフードカバー装置において、前記ショーケースが前記商品陳列棚の手前側上方に位置する冷気吹出口から吹出して前記商品陳列棚の手前側下方に位置する冷気吸込口に吸い込まれる冷気のエアカーテンを形成する場合、前記閉止位置に位置する前記フードカバーにおける前記商品陳列棚の手前側の下端部と前記商品陳列棚の上面との間には、前記商品陳列棚と前記フードカバーとの間に流入した冷気が前記冷気のエアカーテンの方向に流れる隙間が設けられていることが望ましい。
【発明の効果】
【０００９】
本発明に係るショーケースのフードカバー装置によれば、このフードカバー装置は商品陳列棚上に載置され、商品陳列棚上に陳列された商品の上方を閉止する閉止位置とその商品の上方を開放する開放位置とに前後方向に回動可能なフードカバーを有するので、フードカバーが閉止位置に回動した場合には商品陳列棚上に陳列された商品を落下する塵や埃から保護することができる。そして、ショーケース内の商品陳列棚が上下方向に複数段設けられている場合でも、各商品陳列棚毎にフードカバー装置を載置することにより、各商品陳列棚上に陳列された商品を落下する塵や埃から保護することができる。さらに、フードカバーが閉止位置から開放位置へ回動する場合、回動動作の前半ではフードカバーが脚部の上端部に設けられた保持部の案内溝にそって商品陳列棚の奥側へ単独で回動し、回動動作の後半では脚部と共にフードカバーが開放位置まで回動する。このように、フードカバーの閉止位置から開放位置への回動を二段階とすることにより、フードカバーが閉止位置から開放位置へ回動する全行程で脚部と共に回動する場合に比べて、フードカバーの上方への移動寸法を抑えることができ、これにより、フードカバー装置を各商品陳列棚の上に載置した場合でも上下の商品陳列棚の間隔を小さくしてショーケースの小型化、或いは、商品陳列棚の多段化を図ることができる。
【００１０】
また、ショーケースが商品陳列棚の手前側上方に位置する冷気吹出口から吹出して商品陳列棚の手前側下方に位置する冷気吸込口に吸い込まれる冷気のエアカーテンを形成する場合、閉止位置に位置するフードカバーは、冷気吹出口から吹き出して冷気吸込口に向かう冷気のエアカーテンの流れる方向に沿って傾斜しているので、この閉止位置に位置するフードカバーは冷気のエアカーテンの形成を助長することができ、商品陳列棚上に陳列されている商品に対する冷気のエアカーテンによる冷却性能を高めることができる。
【００１１】
また、ショーケースが商品陳列棚の手前側上方に位置する冷気吹出口から吹出して商品陳列棚の手前側下方に位置する冷気吸込口に吸い込まれる冷気のエアカーテンを形成する場合、閉止位置に位置するフードカバーにおける商品陳列棚の手前側の下端部と商品陳列棚の上面との間には、商品陳列棚とフードカバーとの間に流入した冷気が、冷気のエアカーテンの方向に流れる隙間が設けられているので、商品陳列棚の上面とフードカバーとの間を流れる冷気により商品陳列棚上に陳列されている商品の冷却性能を高めることができる。
【図面の簡単な説明】
【００１２】
【図１】フードカバーが閉止位置に位置するフードカバー装置を示す斜視図である。
【図２】フードカバーが閉止位置に位置するフードカバー装置を示す側面図である。
【図３】フードカバーが閉止位置と開放位置との間に位置するフードカバー装置を示す側面図である。
【図４】フードカバーが開放位置に位置するフードカバー装置を示す側面図である。
【図５】フードカバー装置の使用状態を示すショーケースの断面側面図である。
【発明を実施するための形態】
【００１３】
本発明の一実施形態について、図面に基づいて説明する。図１はフードカバー装置１を示す斜視図、図２ないし図４はフードカバー装置１を示す側面図、図５はフードカバー装置１の使用状態を示すショーケース２の断面側面図である。このフードカバー装置１は図５に示すように、ショーケース２の商品陳列棚３の上に載置され、商品陳列棚３の上に陳列されている商品の上に塵や埃が落下することを防止するために使用される。このフードカバー装置１は、一対の脚部４、一対の腕部５、一枚のフードカバー６等により構成されている。
【００１４】
一対の脚部４は、フードカバー装置１を商品陳列棚３の上に載置した場合に商品陳列棚３の上面に接する部材であり、商品陳列棚３の手前側と奥側との前後方向に向けて平行に延出している。これらの左右一対の脚部４は、前後一対の連結片７により連結され、平行状態を維持されている。
【００１５】
一対の腕部５は、その下端部が脚部４の前後方向の略中央部に左右方向の中心線を有する支軸８により連結され、上向きに延出している。そして、これらの腕部５は、支軸８の中心線回りに前後方向（商品陳列棚３における手前側と奥側）に回動可能とされている。また、腕部５における下端側に寄った位置には、外向きに張り出して折り曲げられた折曲部９が形成されている。これらの折曲部９は、腕部５が前後方向に回動した場合に脚部４に形成された切欠部１０又は突起部１１に係合し、腕部５の前後方向への回動範囲を規制するようになっている。
【００１６】
腕部５の上端部には、前端（商品陳列棚３における手前側）と後端（商品陳列棚３における奥側）とが下向きとなる弧状に湾曲した保持部１２が設けられている。これらの保持部１２には、前端と後端とが下向きとなる弧状に湾曲した二つの案内溝１３ａ、１３ｂが形成されている。
【００１７】
フードカバー６は、透明な樹脂により形成され、前端（商品陳列棚３における手前側）と後端（商品陳列棚３における奥側）とが下向きとなる弧状に湾曲した形状とされている。フードカバー６の左右方向の両端部にはそれぞれ一対の突部１４ａ、１４ｂが形成されており、これらの突部１４ａ、１４ｂは、案内溝１３ａ、１３ｂに嵌合し、案内溝１３ａ、１３ｂ内をスライド可能とされている。フードカバー６の前端側外周部には、フードカバー６を回動操作する際に手を掛ける部分である取手部１５が設けられている。
【００１８】
図２は、商品陳列棚３上に容器１６に入った商品が陳列され、及び、商品陳列棚３上にフードカバー装置１が載置され、さらに、フードカバー６が商品の上方を閉止する閉止位置に回動している状態を示している。この状態では、突部１４ａ、１４ｂは案内溝１３ａ、１３ｂにおける商品陳列棚３の手前側の端部に係合している。また、腕部５の折曲部９が脚部４の切欠部１０に係合し、腕部５がそれ以上商品陳列棚３の手前側に回動することが規制されている。
【００１９】
図３は、閉止位置に位置するフードカバー６の取手部１５に手を掛け、フードカバー６を商品陳列棚３の奥側（矢印Ａ方向）へ押した状態を示している。閉止位置に位置するフードカバー６が矢印Ａ方向に押されると、案内溝１３ａ、１３ｂに係合している突部１４ａ、１４ｂが案内溝１３ａ、１３ｂ内をスライドし、フードカバー６は図３に示すように、スライドした突部１４ａ、１４ｂが案内溝１３ａ、１３ｂにおける商品陳列棚３の奥側の端部に到達する位置まで単独で回動する。
【００２０】
図４は、突部１４ａ、１４ｂが案内溝１３ａ、１３ｂにおける商品陳列棚３の奥側の端部に到達した後、引き続きフードカバー６を商品陳列棚３の奥側方向に押した状態を示している。突部１４ａ、１４ｂが案内溝１３ａ、１３ｂにおける商品陳列棚３の奥側の端部に到達した後にフードカバー６が引き続き商品陳列棚３の奥側方向に押されると、腕部５が支軸８の回りに商品陳列棚３の奥側（矢印Ｂ方向）に回動し、フードカバー６は腕部５と一体に回動し、やがて、腕部５の折曲部９が脚部４の突起部１１に当接することによりこの回動動作が規制され、図４に示すようにフードカバー６は開放位置に位置することになる。
【００２１】
図５は、冷気の循環機能を備えたショーケース２の商品陳列棚３の上にフードカバー装置１を載置した状態を示している。ショーケース２は、断熱材により断面形状コの字型に形成された本体ケース１７を有し、本体ケース１７の正面側に開口１８が形成され、本体ケース１７の内部に商品陳列室１９が形成されている。そして、この商品陳列室１９内に上下方向に沿って複数段の商品陳列棚３が設けられている。
【００２２】
また、ショーケース２には、本体ケース１７の内周に沿って冷気が流れる冷気ダクト２０が形成され、この冷気ダクト２０内に冷却器２１と送風ファン２２とが設置されている。そして、冷却器２１が駆動されることにより冷気ダクト２０内の空気が冷やされて冷気が生成され、生成された冷気は送風ファン２２が駆動されることにより冷気ダクト２０内を流れるようになっている。なお、冷却器２１には、冷媒を圧縮する圧縮機（図示せず）、圧縮された冷媒を凝縮する凝縮器（図示せず）、凝縮された冷媒を断熱膨張させる膨張弁（図示せず）等が接続されている。
【００２３】
冷気ダクト２０の一端には、最上位の商品陳列棚３の手前側上方に位置して斜め下方向きに開口する冷気吹出口２３が形成されている。冷気ダクト２０の他端には、最下位の商品陳列棚３の手前側下方に位置して上向きに開口する冷気吸込口２４が形成されている。冷気ダクト２０内を流れた冷気は、冷気吹出口２３から下向きに吹出して冷気吸込口２４から吸い込まれ、再び冷気ダクト２０を流れるようになっている。そして、冷気吹出口２３から吹き出して冷気吸込口２４から吸い込まれる冷気により、開口１８を覆う冷気のエアカーテンが形成されている。
【００２４】
商品陳列棚３の上に載置されたフードカバー装置１のフードカバー６が閉止位置に回動している場合、そのフードカバー６は、冷気吹出口２３から吹き出して冷気吸込口２４に向かう冷気のエアカーテンの流れる方向に沿って傾斜している。
【００２５】
また、商品陳列棚３の上に載置されたフードカバー装置１のフードカバー６が閉止位置に回動している場合、閉止位置に位置するフードカバー６における商品陳列棚３の手前側の下端部と商品陳列棚３の上面との間には、隙間２５が設けられている。そして、冷気ダクト２０の壁面であって商品陳列棚３の上面側に対向する部分には冷気ダクト２０内を流れる冷気の一部が通過可能な複数の冷気通気孔２６が形成されている。この冷気通気孔２６を通って商品陳列棚３とフードカバー６との間に流入した冷気は、隙間２５を通って冷気のエアカーテンの方向に流れるようになっている。
【００２６】
このような構成において、図５に示すように、商品陳列棚３の上にフードカバー装置１が載置され、フードカバー６が閉止位置と開放位置とに回動可能に設けられているので、フードカバー６を閉止位置に回動させておくことにより、商品陳列棚３の上に陳列されている商品を落下する塵や埃から保護することができる。また、フードカバー装置１は各商品陳列棚３毎に載置されているので、どの商品陳列棚３に陳列されている商品についても落下する塵や埃から保護することができる。なお、フードカバー６を閉止位置から開放位置へ回動させることにより、商品陳列棚３の上に陳列されている商品の上方が開放され、商品を取出すことができる。
【００２７】
フードカバー６を閉止位置から開放位置へ回動させる場合には、閉止位置に位置しているフードカバー６を商品陳列棚３の奥側へ押す。すると、フードカバー６は図３に示すように案内溝１３ａ、１３ｂに沿って商品陳列棚３の奥側へ単独で回動し、引き続き同じ方向にフードカバー６を押すことにより、図４に示すようにフードカバー６は腕部５と共に商品陳列棚３の奥側へ回動し、最終的に開放位置まで回動し、閉止位置から開放位置へのフードカバー６の回動が二段階に行われる。このため、フードカバー６が閉止位置から開放位置へ回動する全行程で脚部と共に回動する場合に比べて、フードカバー６の上方への移動寸法を抑えることができる。これにより、フードカバー装置１を各商品陳列棚３の上に載置した場合でも上下の商品陳列棚３の間隔を小さくすることができ、商品陳列棚３の段数が同じであるならばショーケース２の小型化を図ることができ、或いは、ショーケース２のサイズが同じであるならば商品陳列棚３の多段化を図ることができる。
【００２８】
また、ショーケース２が冷気の循環機能を備えている場合には、図５に示すように、閉止位置に位置するフードカバー６は、冷気吹出口２３から吹き出して冷気吸込口２４に向かう冷気のエアカーテンの流れる方向に沿って傾斜しているので、この閉止位置に位置するフードカバー６は冷気のエアカーテンの形成を助長することができ、商品陳列棚３の上に陳列されている商品に対する冷気のエアカーテンによる冷却性能を高めることができる。
【００２９】
また、ショーケース２が冷気の循環機能を備えている場合には、図５に示すように、閉止位置に位置するフードカバーにおける商品陳列棚３の手前側の下端部と商品陳列棚３の上面との間に隙間２５が設けられ、冷気通気孔２６を通って冷気ダクト２０から商品陳列棚３とフードカバー６との間に流入した冷気が、隙間２５を通って冷気のエアカーテンの方向に流れるので、この冷気の流れにより商品陳列棚３の上に陳列されている商品の冷却性能を高めることができる。
【符号の説明】
【００３０】
１    フードカバー装置
２    ショーケース
３    商品陳列棚
４    脚部
５    腕部
６    フードカバー
７    連結片
８    支軸
９    折曲部
１０    切欠部
１１    突起部
１２    保持部
１３ａ、１３ｂ  案内溝
１４ａ、１４ｂ  突部
１５    取手部
１６    容器
１７    本体ケース
１８    開口
１９    商品陳列室
２０    冷気ダクト
２１    冷却器
２２    送風ファン
２３    冷気吹出口
２４    冷気吸込口
２５    隙間
２６    冷気通気孔
【図１】
2019213585.tif 000003
【図２】
2019213585.tif 000004
【図３】
2019213585.tif 000005
【図４】
2019213585.tif 000006
【図５】
2019213585.tif 000007